(57)【要約】      （修正有）【課題】電源を交換する必要がなく、太陽電池の設置方式を変更することにより、太陽電池の発電効果を増加できる光電駆動の電子装置を提供する。【解決手段】ケース１と、該ケース１に収容される信号回路とを含み、ケース１は複数の制御部が組み付けられる第１面を有し、複数の操作部が操作されると信号回路が少なくとも一つの入力信号を発生する光電駆動の電子装置であって、ケース１は、第１面と異なる第２面１１に光電変換モジュール３が設置され、光電変換モジュール３は電力供給回路を介して信号回路に電力を供給する。【選択図】図２
0003166413.tif 000002
【実用新案登録請求の範囲】
【請求項１】
ケース（１）と、前記ケース（１）に収容される信号回路（６）と、を含み、前記ケース（１）は複数の操作部が組み付けられる第１面（１０、１００）を有し、複数の前記操作部が操作されると前記信号回路（６）が少なくとも一つの入力信号を発生する光電駆動の電子装置であって、
前記ケース（１）は、前記第１面（１０、１００）と異なる第２面（１１、１１０、１１１）に光電変換モジュール（３）が設けられ、
前記光電変換モジュール（３）は電力供給回路（４，４００）を介して前記信号回路（６）に電力を供給すること
を特徴とする光電駆動の電子装置。
【請求項２】
前記第２面（１１、１１０、１１１）は、前記ケース（１）の前記第１面（１０、１００）の反対側に位置し、前記電子装置が設置面に置かれて利用されているときには、前記第２面（１１、１１０、１１１）が前記設置面に対向することを特徴とする請求項１に記載の光電駆動の電子装置。
【請求項３】
前記電力供給回路（４、４００）は、一端が前記光電変換モジュール（３）と電気的に
接続する第１電力回線（４０）と、前記第１電力回線（４０）の他端と電気的に接続する蓄電モジュール（４１）と、前記蓄電モジュール（４１）及び前記信号回路（６）と電気的に接続する第２電力回線（４２）と、を含むことを特徴とする請求項１又は請求項２に記載の光電駆動の電子装置。
【考案の詳細な説明】
【技術分野】
【０００１】
本考案は、光電駆動の電子装置に関し、特に、光電変換モジュールを有する無線伝送キーボードに関するものである。
【背景技術】
【０００２】
無線伝送技術が引き続き発展しているため、コンピュータの周辺製品についても無線伝送技術を利用し始めている。例えば特許文献１の台湾特許第Ｍ２４０６２９号の「無線伝送接収端装置付きキーボード及びコンピュータ」は、キーボードと無線指標装置とを含み、前記キーボードに無線接収端が配される。前記無線接収端の接収端回路は前記無線指標装置と交信する。
【０００３】
無線伝送技術を利用するキーボードは、例えば特許文献２の台湾特許第Ｍ３０７１５１号の「無線電子装置付きキーボード」が提案された。この無線電子装置付きキーボードは、本体と、第１トランシーバーと、無線電子装置と、を含む。前記本体は、複数の操作部と、回路板と、を有する。前記回路板には、これらの前記操作部に対応する信号接点が複数設けられる。前記第１トランシーバーは前記本体内に配される。前記無線電子装置は第２トランシーバーを有する。前記第１トランシーバーと前記第２トランシーバーとは、同じ周波数の範囲において、音声プログラムを互いに伝送する。
【０００４】
無線伝送装置の小型化により、キーボードに無線伝送装置を組付けることが普及してきている。しかし、キーボードと無線伝送装置には、電力の供給が必要であるが、コンピュータに接続するケーブルがないため、キーボード自体に電力を備えることが必要である。この問題を解決するために、特許文献３の台湾特許第Ｍ２５７４８１号の「三機能搭載のコンピュータのキーボード及びマウスの充電装置」が提案された。三機能搭載のコンピュータのキーボード及びマウスの充電装置は、無線キーボードに電池が配され、前記電池が無線キーボードに電力を供給する。前記充電装置は、充電回路により無線マウスとキーボードとの電池に対して充電することができる。
【０００５】
無線キーボードの充電方式は、ＵＳＢインターフェースにより充電し、充電池を交換し、或いは特殊な充電装置を使用する。ＵＳＢインターフェースにより充電する場合には、コンピュータの電源がオフ状態にあるときにＵＳＢインターフェースから電力を供給することができないため、このとき、無線キーボードを充電することができない。なお、充電池を交換する方式によれば、充電池を取出して充電することが必要であるため、極めて不便である。
【０００６】
また、太陽電池を電源とする電子製品は、製品の正面に太陽電池を組み付けるものが多く、製品の正面は上に向く時間が長いため、光線を受ける時間が長い。しかし、製品の正面の大部分の面積に入力手段および表示手段が設けられるため、太陽電池を組付け可能な面積が極めて小さく、太陽電池に太陽光を長時間照射しないと、充電池の電力が不足し、外部の電源により電力を供給することが必要である。そして製品の正面に太陽電池を組付けると、全体の見栄えが悪くなる問題があった。
【先行技術文献】
【特許文献】
【０００７】
【特許文献１】台湾特許第Ｍ２４０６２９号公報
【特許文献２】台湾特許第Ｍ３０７１５１号公報
【特許文献３】台湾特許第Ｍ２５７４８１号公報
【考案の概要】
【考案が解決しようとする課題】
【０００８】
本考案の主な目的は、電源を交換する必要がなく、太陽電池の設置方式を変更することにより、太陽電池の発電効果を増加できる光電駆動の電子装置を提供することにある。
【課題を解決するための手段】
【０００９】
本考案の光電駆動の電子装置によると、ケースと、前記ケースに収容される信号回路と、を含み、前記ケースは複数の操作部が組み付けられる第１面を有し、複数の前記操作部が操作されると前記信号回路が少なくとも一つの入力信号を発生する光電駆動の電子装置であって、前記ケースは、前記第１面と異なる第２面に光電変換モジュールが設置され、前記光電変換モジュールは電力供給回路を介して前記信号回路に電力を供給することを特徴とする。
【００１０】
また、本考案の光電駆動の電子装置によると、前記第２面は、前記ケースの前記第１面の反対側に位置し、前記電子装置が設置面に置かれて利用されているときには、前記第２面が前記設置面に対向することを特徴とする。
【００１１】
また、本考案の光電駆動の電子装置によると、前記電力供給回路は、一端が前記光電変換モジュールと電気的に接続する第１電力回線と、前記第１電力回線の他端と電気的に接続する蓄電モジュールと、前記蓄電モジュール及び前記信号回路と電気的に接続する第２電力回線と、を含むことを特徴とする。
【考案の効果】
【００１２】
本考案の光電駆動の電子装置によれば、電源を交換する必要がなく、太陽電池の設置方式を変更することにより、太陽電池の発電効果を増加できるという効果を有する。
【図面の簡単な説明】
【００１３】
【図１】本考案の第１の実施形態を示す斜視図である。
【図２】本考案の第１の実施形態を示す後方斜視図である。
【図３】本考案の第１の実施形態の電子回路のブロック図である。
【図４】本考案の第２の実施形態を示す斜視図である。
【図５】本考案の第３の実施形態を示す斜視図である。
【考案を実施するための最良の形態】
【００１４】
以下、本考案の実施の形態を図面に基づいて説明する。
【００１５】
（第１の実施形態）
まず、図１乃至図３を参照する。本考案の電子装置は無線伝送キーボードでもよい。前記無線伝送キーボードは、ケース１と、ケース１に収容される信号回路６と、を含む。ケース１は、第１面１０と、第１面１０と異なる第２面１１とに分けられる。第２面１１は、ケース１の第１面１０の反対側に位置する。前記無線伝送キーボードは、設置面に置かれて利用されているときに、第２面１１が前記設置面に対向する。前記無線伝送キーボードの第１面１０には、複数の操作部が組み付けられる開口が設けられる。前記操作部はタッチパネル或いは他の入力手段である。第１面１０に出力手段を設けてもよい。前記無線伝送キーボードは、図１乃至図３に示すように、前記操作部が複数のボタン２を含み、信号回路６が複数のボタン２の下方に位置する。複数のボタン２が押圧されると、信号回路６が少なくとも一つの入力信号を発生する。ケース１の第２面１１に光電変換モジュール３が設置され、光電変換モジュール３は電力供給回路４を介して信号回路６に電力を供給する。電力供給回路４は、光電変換モジュール３と電気的に接続する第１電力回線４０と、第１電力回線４０の他端と電気的に接続する蓄電モジュール４１と、蓄電モジュール４１及び信号回路６と電気的に接続する第２電力回線４２と、を含む。図２に示すように、第２面１１に蓄電モジュール４１が組み付けられる。蓄電モジュール４１は、更に、少なくとも一つの充電池４１０を含む。これにより、光電変換モジュール３からの電力は、第１電力回線４０を経由して蓄電モジュール４１に伝送されて、第２電力回線４２を経由して信号回路６に伝送される。電力の消費を節約するために、ケース１にスイッチ５が設けられる。スイッチ５により、電力供給回路４と信号回路６との電気的な接続状態を切り替えることができる。図２に示すように、スイッチ５がケース１の第２面１１から外部に露出し、これにより、ユーザはスイッチ５を容易に切替えることができる。スイッチ５は、図３に示すように、蓄電モジュール４１と信号回路６との間に設けられる。上記のような設計により、光電変換モジュール３からの電力が信号回路６に供給され、信号回路６のこれらのボタン２が押圧されて発生する入力信号は信号回路６と電気的に接続する無線伝送モジュール７を介して出力する。蓄電モジュール４１が電力検知回路９と電気的に接続し、電力検知回路９は蓄電モジュール４１の電量を表示する指示器９１を有することが好ましい。指示器９１は、図１に示すように、第１面１０に組み付けられる指示ランプであり、前記指示ランプにより充電が必要であるかどうかを知ることができる。また、ケース１には、更に、信号回路６と電気的に接続する外部接続インターフェース８が設けられる。
【００１６】
上記のような技術によれば、前記無線伝送キーボードは光線から電力に変換する能力を有する。前記無線伝送キーボードを利用しないときには、スイッチ５により前記無線伝送キーボードの電力をオフにして、前記無線伝送キーボードを反転して光電変換モジュール３が組み付けられる第２面１１を上に向かせる。前記無線伝送キーボードの第１面１０には、ボタン２と他の指示ランプとが分布されているため、光電変換モジュール３を組付け可能な面積が少ないが、光電変換モジュール３が第２面１１に組み付けられることにより、光電変換モジュール３による発電量を増加でき、充電時間を短縮できる。また、第２面１１を上に向かせるときには、ホコリが第１面１０に落下しないため、ボタン２と信号回路６との清潔を保持できる。
【００１７】
（第２の実施形態）
本考案の電子装置は、無線伝送キーボードを例にして説明したが、マウスでもよい。本考案のマウスは、図４に示すように、ケース１は操作部が組付けられる第１面を有する。図４において、前記マウスの操作部および第１面が示されないが、一般のマウスを利用する経験を持つユーザはこれを理解できる筈である。図４に示すように、前記マウスは第２面１１０を有し、第２面１１０には、ユーザが入力できる操作部が組み付けられないため、光電変換モジュール３を組付け可能な面積が広い。
【００１８】
（第３の実施形態）
図５を参照する。本考案の電子装置は翻訳機でもよい。前記翻訳機は、ユーザが入力できる操作部が組み付けられる第１面１００と、第１面１００の反対側にある第２面１１１と、を有する。第２面１１１に光電変換モジュール３が組み付けられる。光電変換モジュール３と電力供給回路４００とにより前記翻訳機の電力が供給される。
【００１９】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよい。
【産業上の利用可能性】
【００２０】
本考案は、電子装置に適用することができる。
【符号の説明】
【００２１】
１    ケース
２    ボタン
３    光電変換モジュール
４、４００  電力供給回路
５    スイッチ
６    信号回路
７    無線伝送モジュール
８    外部接続インターフェース
９    電力検知回路
１０、１００  第１面
１１、１１０、１１１  第２面
４０  電力回線
４１  蓄電モジュール
４２  第２電力回線
９１  指示器
４１０  充電池
【図１】
0003166413.tif 000003
【図２】
0003166413.tif 000004
【図３】
0003166413.tif 000005
【図４】
0003166413.tif 000006
【図５】
0003166413.tif 000007